(57)【要約】【課題】本発明は、電子拡大鏡に関するもので、視認性の向上を図ることを目的とするものである。【解決手段】そしてこの目的を達成するために本発明は、本体ケース１と、この本体ケース１の上面側に設けた液晶表示部２と、この本体ケース１の下面側に設けた読み取り部３と、この読み取り部３で読み取った画像を拡大して前記表示部に表示させる制御部４とを備え、前記制御部４は、前記液晶表示部２に表示された画像を間欠的にスクロールする間欠スクロール手段２８を有する構成とした。【選択図】図４
2010161681.tif 000002
【特許請求の範囲】
【請求項１】
本体ケースと、この本体ケースの上面側に設けた液晶表示部と、この本体ケースの下面側に設けた読み取り部と、この読み取り部で読み取った画像を拡大して前記液晶表示部に表示させる制御部とを備え、
前記制御部は、前記液晶表示部に表示された画像を間欠的にスクロールする間欠スクロール手段を有する電子拡大鏡。
【発明の詳細な説明】
【技術分野】
【０００１】
本発明は、電子拡大鏡に関するものである。
【背景技術】
【０００２】
電子拡大鏡は、弱視者が本や新聞などを気楽に楽しむために、その需要が徐々に高まっており、その構成としては、以下の様なものとなっていた。
【０００３】
すなわち、本体ケースと、この本体ケースの上面側に設けた表示部と、この本体ケースの下面側に設けた読み取り部と、この読み取り部で読み取った画像を拡大して前記表示部に表示させる制御部とを備えた構成となっていた。
【０００４】
そして、この構成において、例えば本の上に本体ケースを載せ、制御部により読み取り部で読み取った画像を拡大し、表示部に表示させるようになっている。
【０００５】
この電子拡大鏡は、老眼鏡や虫眼鏡よりも拡大率が大きく、その分読みやすくなることで高い評価を受けている。
【特許文献１】特開平５−３２３９４１号公報
【発明の開示】
【発明が解決しようとする課題】
【０００６】
上記従来例における課題は、視認性が低いということであった。
【０００７】
すなわち、前記表示部は、液晶表示部となっており、この液晶表示部を用いて画面を左右にスクロールしながら本や新聞を読むようになっているが、液晶表示部においては、このようなスクロールをした場合、残像現象により文字が流れてしまい、特に弱視者にとっては、極めて視認性の悪い状態となる。
【０００８】
なお、画面を自動スクロールするものとして、上記特許文献１に記載したものがあるが、この特許文献１に記載されたものは、文字数に応じてスクロールスピードを速くしたり、遅くしたりするものであって、たとえスクロールスピードを遅くしても連続的にスクロールしていることには変わりなく、よって、この時にも、液晶表示部における残像現象により文字が流れてしまい、その結果として、この特許文献１を電子拡大鏡に組み込んでも、弱視者に対する視認性の向上には貢献できない。
【０００９】
そこで本発明は、視認性の向上を図ることを目的とするものである。
【課題を解決するための手段】
【００１０】
そして、この目的を達成するために本発明は、本体ケースと、この本体ケースの上面側に設けた液晶表示部と、この本体ケースの下面側に設けた読み取り部と、この読み取り部で読み取った画像を拡大して前記表示部に表示させる制御部とを備え、前記制御部は、前記液晶表示部に表示された画像を間欠的にスクロールする間欠スクロール手段を有する構成とし、これにより所期の目的を達成するものである。
【発明の効果】
【００１１】
以上のように本発明は、本体ケースと、この本体ケースの上面側に設けた液晶表示部と、この本体ケースの下面側に設けた読み取り部と、この読み取り部で読み取った画像を拡大して前記表示部に表示させる制御部とを備え、前記制御部は、前記液晶表示部に表示された画像を間欠的にスクロールする間欠スクロール手段を有する構成としたものであるので、視認性を向上させることができる。
【００１２】
すなわち、本発明においては、前記制御部が、前記液晶表示部に表示された画像を間欠的にスクロールする間欠スクロール手段を有する構成としたものであるので、液晶表示部における画像は間欠的にスクロールされ、その結果、残像現象による文字流れは発生せず、これにより、視認性を大幅に向上させることができるもである。
【発明を実施するための最良の形態】
【００１３】
以下、本発明の一実施形態を添付図面を用いて説明する。
【００１４】
本実施形態の電子拡大鏡は、図１から図３に示すように、長方形体の本体ケース１と、この本体ケース１の上面側に設けた液晶表示部２と、この本体ケース１の下面側に設けた読み取り部３と、この読み取り部３で読み取った画像を拡大して前記液晶表示部２に表示させる制御部４（図４）とを備えている。
【００１５】
本体ケース１の上面側には、図１に示すように電源ランプ５、ズーム用のスイッチ６、カーソル移動用のスイッチ７が設けられている。
【００１６】
また、この図１に示すように、本体ケース１の上辺側には、フォーカスやリターンを行うスイッチ８と、シャッター用のスイッチ９が設けられている。
【００１７】
さらに、この図１に示すように、本体ケース１の右辺側には、メニュー用のスイッチ１０と、電源用のスイッチ１１が設けられている。このうち、メニュー用のスイッチ１０は、各種メニューを次々に液晶表示部２に表示させ、その表示内容の選択は、スイッチ７の右片７ａ、上片７ｂ、左片７ｃ、下片７ｄにより、選択決定されるようになっている。
【００１８】
また、本体ケース１の下面側には、図２に示すごとく前記読み取り部３が設けられ、その外周には、照明用のＬＥＤ１２が４個設けられている。さらに、これらＬＥＤ１２の外方には、スタンド脚１３が設けられている。また、この本体ケース１の下面側の外方４方には、平面脚１４が設けられている。
【００１９】
また、この図２に示すごとく本体ケース１の左辺側には、読み取りの遠近切り換え用のスイッチ１５と、読み取りと再生を切り換えるためのスイッチ１６が設けられている。
【００２０】
さらに、本体ケース１の下辺側には、本体ケース１にストラップ（図示せず）を取り付けるための取り付け部１７と、液晶表示部２のコントラスト調整用のスイッチ１８と、液晶表示部２の表示内容のカラー切り替えを行うためのスイッチ１９が設けられている。
【００２１】
前記制御部４には、図４に示すごとく読み取り部３で読み取った画像データを、画像格納部２０を介して記憶する外部メモリ２１や、前記スイッチ６、７、８、９、１０、１１、１５、１６、１８、１９や、液晶表示部２が接続されており、その内部は、マイコン（ＣＰＵ）２２、切出し部２３、拡大処理部２４、バー表示手段２５、バー傾斜手段２６を有している。
【００２２】
上記構成において、例えば、新聞記事を読む時の操作について説明する。
【００２３】
まず、この場合、スイッチ１１を長押し（約２秒）し、電源を入れ、電源ランプ５を点灯させる。
【００２４】
つぎに、新聞や本を読むために、スイッチ８を切り換え、接写モードに切り換える。
【００２５】
その後、スイッチ１６により、撮影モードに切り換える。
【００２６】
そして、その状態で、本体ケース１を、液晶表示部２を上にして、新聞紙の読みたい記事の上に置く。
【００２７】
つぎに、スイッチ８を押すことで、読み取り部３を新聞記事に対してピントを合わせる。
【００２８】
この状態で、スイッチ９を押すと、図５のごとく液晶表示部２には、図４で示す切り取り部２３、拡大処理部２４、バー表示手段２５、バー傾斜手段２６をスルー状態で液晶表示部２には読み取った新聞記事が表示される。またこれと同時に、読み取り部３で読み取った画像データは、画像格納部２０および外部メモリ２１に記録される。
【００２９】
このようにして読み取った新聞記事を読むときは、スイッチ６の大径部６ａを操作することで、最大１０倍以上に拡大され、その状態が図６に示す状態となる。
【００３０】
つまり、スイッチ６を押すことで、図４の切出し部２３により、図５に示すごとく、記事が拡大された状態で切り出され、この状態で使用者は新聞記事を読むことになる。
【００３１】
なお、スイッチ６の小径部６ｂを操作すれば、この切り出しが小さく、つまり、図５における液晶表示部２内に、より多くの文字が表出することになる。
【００３２】
さて、図５、図６は、読みたい新聞記事の上に本体ケース１を適切に置いた状態であるが、使用者がこの新聞記事の上本体ケース１を斜めに置いてしまった場合には、これを読むために上記スイッチ６の大径部６ａを操作すると、図７に示すごとく液晶表示部２内には、新聞記事が斜めに表示される。
【００３３】
この状態で、その新聞記事を読むために、スイッチ７の右片７ａを操作すると、液晶表示部２内の新聞記事は、右側にスクロールされていく。
【００３４】
ところが、この図７からも明らかなように、たとえば、一番上段の行の「ｃｄｅｆｇｈｉｊｋ」までは、読み取れるが、それ以降の「ｌｍｎｏ」などは、液晶表示部２から消失してしまう。
【００３５】
そこで、従来は、この時、使用者は、スイッチ７の上片７ｂを操作することで、液晶表示部２内を上方にスクロールし、消失してしまった「ｌｍｎｏ」を読まなければならず、極めて不便なものであった。
【００３６】
そこで、本実施形態では、図８に示すごとく、このように新聞記事が斜めになってしまった場合には、図１のスイッチ１０を操作することで、図４のバー表示手段２５を駆動させ、図８に示すスクロール方向決定バー２７（この時は、図８において破線で示すもの）を、液晶表示部２内に表示させる。
【００３７】
つぎに、スイッチ７の上片７ｂを操作することで、図４のバー傾斜手段２６を駆動させ、このスクロール方向決定バー２７（この時は、図８において破線で示すもの）を、図８に示す実線のスクロール方向決定バー２７ごとく右側を上方に、左側を下方に傾斜させ、その状態でスイッチ７を押せば、この実線状態のスクロール方向決定バー２７が設定される。
【００３８】
つまり、この斜めになった実線状態のスクロール方向決定バー２７が液晶表示部２内における右方へのスクロール方向に設定されるのである。
【００３９】
さてこの状態で、斜めになった新聞記事を読む場合、まず、スイッチ１０を操作することで、液晶表示部２内から、図８の実線のスクロール方向決定バー２７を消失させ、この状態で、図１のスイッチ７の右片７ａを押せば、図８における上段の「〜ｃｄｅｆｇｈｉｊｋ」を読んでいけば、今、この図８では消えている「ｌｍｎｏ〜」が、今、図８の「〜ｃｄｅｆｇｈｉｊｋ」に登場し、つまり、斜めの記事も連続的に読むことができ、きわめて利便性の高いものとなる。
【００４０】
さて、この「〜ｃｄｅｆｇｈｉｊｋｌｍｎｏ〜」の行を読み取った後は、スイッチ７の左片７ｃを押すことで、図７を左方にスクロールし、つぎに、スイッチ７の下片７ｄを操作することで、下方にスクロールし、これにより次段の「〜ＢＣＤＥＦＧＨＩＪＫＬＭＮＯ〜」を続けて簡単に読むことができる。
【００４１】
以上のごとく、本実施形態においては、液晶表示部２内にスクロール方向決定バー２７を表出させ、しかも、それを傾斜設定することで、液晶表示部２内のスクロール方向を傾斜方向にスクロールさせることであり、そのために、バー表示手段２５、バー傾斜手段２６、スクロールのためのスイッチ７（右片７ａ、上片７ｂ、左片７ｃ、下片７ｄ）を設け、それをマイコン２２で制御する構成としている。
【００４２】
以上の説明において、本実施形態の最も大きな特徴点は、液晶表示部２において、画面を間欠的にスクロールすることで、視認性を向上させることである。
【００４３】
具体的には、図４に示すごとく制御部４内の液晶表示部２への出力部に間欠スクロール手段２８を設け、スイッチ７によるスクロール指令がマイコン２２に入力された場合に、この間欠スクロール手段２８が動作し、これにより液晶表示部２に表示された画面は間欠的（たとえば１／３０秒間隔）にスクロールされ、その結果として液晶表示部２における画面の文字流れなどは発生せず、極めて視認性の高いものとなる。
【００４４】
特に、本電子拡大鏡を使用する弱視者などにとっては、この間欠スクロールによる文字流れの防止は、視認性が高まることで、本や新聞などを落ち着いて読めることにつながることとなる。
【００４５】
なお、マイコン２２には、図示していないが、プログラムを格納したＲＯＭが設けられており、以上の動作は、このＲＯＭ内に格納されたプログラムにより実行される。
【産業上の利用可能性】
【００４６】
以上のように本発明は、本体ケースと、この本体ケースの上面側に設けた液晶表示部と、この本体ケースの下面側に設けた読み取り部と、この読み取り部で読み取った画像を拡大して前記表示部に表示させる制御部とを備え、前記制御部は、前記液晶表示部に表示された画像を間欠的にスクロールする間欠スクロール手段を有する構成としたものであるので、視認性を向上させることができる。
【００４７】
すなわち、本発明においては、前記制御部が、前記液晶表示部に表示された画像を間欠的にスクロールする間欠スクロール手段を有する構成としたものであるので、液晶表示部における画像は間欠的にスクロールされ、その結果、残像現象による文字流れは発生せず、これにより、視認性を大幅に向上させることができるもである。
【００４８】
したがって、電子拡大鏡として、広く活用が期待されるものである。
【図面の簡単な説明】
【００４９】
【図１】本発明の一実施形態を示す上面側からの斜視図
【図２】本発明の一実施形態を示す下面側からの斜視図
【図３】本発明の一実施形態を示す下方側からの斜視図
【図４】本発明の一実施形態を示す制御部のブロック図
【図５】本発明の一実施形態を示す液晶表示部の上面図
【図６】本発明の一実施形態を示す液晶表示部の上面図
【図７】本発明の一実施形態を示す液晶表示部の上面図
【図８】本発明の一実施形態を示す液晶表示部の上面図
【符号の説明】
【００５０】
１  本体ケース
２  液晶表示部
３  読み取り部
４  制御部
５  電源ランプ
６  スイッチ
６ａ  スイッチ６の大径部
６ｂ  スイッチ６の小径部
７  カーソルボタン
７ａ  スイッチ７の右片
７ｂ  スイッチ７の上片
７ｃ  スイッチ７の左片
７ｄ  スイッチ７の下片
８  スイッチ
９  スイッチ
１０  スイッチ
１１  スイッチ
１２  ＬＥＤ
１３  スタンド脚
１４  平面脚
１５  スイッチ
１６  スイッチ
１７  取り付け部
１８  スイッチ
１９  スイッチ
２０  画像格納部
２１  外部メモリ
２２  マイコン（ＣＰＵ）
２３  切出し部
２４  拡大処理部
２５  バー表示手段
２６  バー傾斜手段
２７  スクロール方向決定バー
２８  間欠スクロール手段
【図１】
2010161681.tif 000003
【図２】
2010161681.tif 000004
【図３】
2010161681.tif 000005
【図４】
2010161681.tif 000006
【図５】
2010161681.tif 000007
【図６】
2010161681.tif 000008
【図７】
2010161681.tif 000009
【図８】
2010161681.tif 000010